(57)【要約】【課題】屋根躯体の縁部に正確に位置合わせして屋根躯体に設置することができ、アンカー止め作業が一端部から中央部、そして他端部へと順次行える屋根端部保持装置を提供することを目的とする。【解決手段】第１保護層２の配置位置を設定する第１係合部３が上面に突出して設けられ、下面が屋根躯体１の上面に接合される基礎部材１ａと、上面に第２保護層載置部９が設けられ、第１係合部３と相互に係合する第２係合部４が下面に突出して設けられ、基礎部材１ａの上面に第１保護層２を配置して第２係合部４を第１係合部３に係合した状態では第１保護層２から外方向に延長して第２保護層載置部９が設置されると共に、屋根躯体１の縁部を保護するように屋根躯体１の縁部と適宜の空隙をおいて対向する保護板１０が第２係合部４よりも外側の位置で下面に突出して設けられてなる屋根端部保持部材１ｂと、を具えて屋根端部保持装置を構成した。【選択図】  図１
2004176356.tif 000002
【特許請求の範囲】
【請求項１】
上面に配置される第１保護層の配置位置を設定する第１係合部が上面に突出して設けられ、下面が屋根躯体の上面に接合される基礎部材と、
上面に第２保護層載置部が設けられ、前記第１係合部と相互に係合する第２係合部が下面に突出して設けられ、前記基礎部材の上面に第１保護層を配置して前記第２係合部を前記第１係合部に係合した状態では前記第１保護層の上面において第２保護層の縁部が屋根躯体よりも外側へ突出して保持するように前記第１保護層から外方向に延長して前記第２保護層載置部が設置されると共に、屋根躯体の縁部を保護するように屋根躯体の縁部と適宜の空隙をおいて対向する保護板が前記第２係合部よりも外側の位置で下面に突出して設けられてなる屋根端部保持部材と、を具えて構成したことを特徴とする屋根端部保持装置。
【請求項２】
屋根端部保持部材の第２保護層載置部には、第２保護層の縁部を覆う囲繞部が設けられていることを特徴とする請求項１記載の屋根端部保持装置。
【請求項３】
隣接する屋根端部保持部材の各第２保護層載置部の下面と各保護板の裏面に接して屋根躯体に複数設置された断面逆Ｌ字形状の連結部材で、各屋根端部保持部材は連結され、
該連結部材の前記第２保護層載置部の下面と接する部分には断面Ｖ字状に下面に突出した樋が設けられていることを特徴とする請求項１又は２に記載の屋根端部保持装置。
【発明の詳細な説明】
【０００１】
【発明の属する技術分野】
この発明は、屋根躯体の上面に第１保護層を接合し、さらに第１保護層の上面に第２保護層を接合した構造の屋根において、第１保護層および第２保護層の各端部を保持する屋根端部保持装置に関するものである。
【０００２】
【従来の技術】
建造物の屋根は、天日、雨等に直接さらされるので断熱層、防水層等の保護層を設けている。そして各保護層の端部は風雨等により剥れてしまったり、あるいは雨水等が浸入する等の不都合がないように、端部支持部材を使用して保護層の各端部を確実に屋根躯体に保持する屋根端部保持装置が知られている。（例えば特許文献１参照）
【０００３】
【特許文献１】
特開平８−４２０７８号公報
【０００４】
上記特許文献１（特開平８−４２０７８号公報）に記載されている屋根端部構造について図７乃至図９を参照して説明する。図７は屋根端部構造を示す外観斜視図であり、図８は図７に示した端部支持部材を使用した屋根端部構造を示す断面図である。図７、図８に示す端部支持部材Ａにおいて、第１保護層保持部１０８は第１保護層としての断熱材１０２の上下面に接してこれを保持するため断面コ字形状をなしていて、その形成幅（上下幅）は屋根躯体１０１上に設置する断熱材１０２の厚みに設定されている。第１保護層保持部１０８の下方面には貫通孔１０８ａが形成されていて、貫通孔１０８ａにビスＢ（アンカー）の頭部を係止してビスＢを屋根躯体１０１に打ち込むことにより端部支持部材Ａを屋根躯体１０１に設置することができる。
【０００５】
また、第２保護層載置部１０９は第１保護層保持部１０８の上面から外方向（屋根縁部方向）に延長する載置面１０９ａを具え、載置面１０９ａは屋根躯体１０１の縁部よりも外方向に突出する長さを有し、ビスＢ（アンカー）打ち込みのための切り欠き１０９ｂを設けている。そして、第２保護層載置部１０９の縁部まで第２保護層１０７（防水層およびパネル部材）が設けられている。また、第２保護層１０７と接する前記第１保護層保持部１０８の上面と第２保護層載置部１０９の載置面には屋根躯体１０１の縁部方向と平行に複数の溝または凸部からなる水遮蔽手段１１１が形成されている。なお、縁部保護板１０９ｃは第１保護層載置部１０８の下面から延長し屋根躯体１０１の縁部上面に接する下面を具えていて、屋根躯体１０１の縁部上面への雨水の吹き込み等を防止することができる。
【０００６】
一方、保護板１１０は屋根躯体１０１の縁部１０１ｃと適宜の空隙をおいて対向するように第２保護層載置部１０９と一体に形成されていて、屋根躯体１０１の縁部１０１ｃを風雨に直接さらされないようになっている。また、ジョイント部材１１２は第２保護層載部１０９の下面と保護板１１０の裏面とに接する逆Ｌ字状をなしていて、屋根躯体１０１に複数設置される屋根保護層の端部支持部材を適正な位置状態で連結するようになっている。
【０００７】
以上のように構成された端部支持部材を用いて屋根端部構造を構成する際、端部支持部材の第１保護層保持部１０８により第１保護層（断熱層）２の縁部を容易かつ確実に保持することができ、第１保護層保持部１０８の上面および第２保護層載置部１０９の載置面１０９ａに第２保護層１０７を適正に設置することができる。また、保護板１１０により屋根躯体１０１の縁部１０１ｃを風雨から保護することができ屋根部の耐候性を向上させることができる。そして、第２保護層１０７の下面と接する複数の溝または凸部からなる水遮蔽手段１１１は、第２保護層１０７の下方からの雨水等の浸入を防止することができる。
【０００８】
一方、図９は他の端部支持部材Ａ２を示す図であり、この端部支持部材Ａ２には、第２保護層１０７の縁部を覆うことが可能な囲繞部材１１２が端部支持部材Ａ２に設けられている。この囲繞部材１１２は、第２保護層１０７の上面の雨が流れ落ちることがないようにせき止めるのに十分な高さを有していて、囲繞部材１１２が設けられた端部支持部材Ａ２は、屋根勾配によって水切り効果が期待できないケラバ部等の建造物の側面部に設置され、屋根勾配によって水切り効果が期待できる軒先部等には図７及び図８に示した端部支持部材Ａ１が設置される。
【０００９】
【発明が解決しようとする課題】
しかしながら、端部支持部材を屋根躯体に設置する場合、端部支持部材の縁部保護板の端縁を屋根躯体の縁部に正確に位置合わせすることが望ましいが、端部支持部材を屋根躯体の上面に載置すると端部支持部材の縁部保護板の端縁と屋根躯体の縁部の位置が上部から目視できないため、端部支持部材と屋根躯体の端部との位置合わせは、端部支持部材の側端部で位置合わせして、両側端部をそれぞれアンカー止めした後で、中央部をアンカー止めしなければならならず、アンカー止め作業には手間がかかっていた。また、工場での加工作業として、アンカー打ち込みのための切り欠き１０９ｂの形成工程があり、コストアップの要因となっていたため改善が望まれていた。
【００１０】
本発明は、上記課題を解決するために提案されたもので、屋根躯体の縁部に正確に位置合わせして屋根躯体に設置することができ、アンカー止め作業が一端部から中央部、そして他端部へと順次行える屋根端部保持装置を提供することを目的とする。
【００１１】
【課題を解決するための手段】
上記課題を解決するために請求項１記載の発明は、上面に配置される第１保護層の配置位置を設定する第１係合部が上面に突出して設けられ、下面が屋根躯体の上面に接合される基礎部材と、上面に第２保護層載置部が設けられ、前記第１係合部と相互に係合する第２係合部が下面に突出して設けられ、前記基礎部材の上面に第１保護層を配置して前記第２係合部を前記第１係合部に係合した状態では前記第１保護層の上面において第２保護層の縁部が屋根躯体よりも外側へ突出して保持するように前記第１保護層から外方向に延長して前記第２保護層載置部が設置されると共に、屋根躯体の縁部を保護するように屋根躯体の縁部と適宜の空隙をおいて対向する保護板が前記第２係合部よりも外側の位置で下面に突出して設けられてなる屋根端部保持部材と、を具えて構成したことを特徴とする屋根端部保持装置である。
【００１２】
また、請求項２記載の発明は、上記の構成において、屋根端部保持部材の第２保護層載置部には、第２保護層の縁部を覆う囲繞部が設けられているものである。
【００１３】
また、請求項３記載の発明は、上記の構成において、隣接する屋根端部保持部材の各第２保護層載置部の下面と各保護板の裏面に接して屋根躯体に複数設置された断面逆Ｌ字形状の連結部材で、屋根端部保持部材は連結され、該連結部材の前記第２保護層載置部の下面と接する部分には断面Ｖ字状に下面に突出した樋が設けられているものである。
【００１４】
【発明の実施の形態】
以下、本発明の実施の形態について図面を参照して詳細に説明する。図１は本発明の第１の実施の形態に係る屋根端部保持装置を使用した屋根端部構造の断面図、図２は第１の実施の形態に係る屋根端部保持装置の屋根端部保持部材の斜視図、図３は第１の実施の形態に係る屋根端部保持装置に使用した連結部材の斜視図、図４は第１の実施の形態に係る屋根端部保持装置の基礎部材の斜視図である。
【００１５】
図２乃至図４において、基礎部材１ａ，屋根端部保持部材１ｂ，連結部材１ｃは、それぞれアルミニウム製の押出し型材で構成されている。基礎部材１ａの上面は第１保護層載置部８であり、上面に配置される第１保護層２（例えば、弾性を有する直方体形状の断熱材）の端面に接して第１保護層２の配置位置を設定する第１係合部３が上面に突出して設けられている。第１保護層載置部８には、アンカー打ち込みの目印となる断面Ｖ字の溝８ａ，８ａ，・・が設けられている。また、第１係合部３は、基礎部材１ａの上面に所定間隔で対向して略平行に立設された一対の壁体３ａ，３ｂで構成されており、壁体３ａ，３ｂは、それぞれ片面が段差面に形成され断面が鋸刃状であり、両段差面が対向して配置され上部が開放した断面コ字形状の係合溝３ｃを形成している。この基礎部材１ａは、ドリルにより容易に孔を形成でき、屋根躯体１の上面にアンカー６打ち込み、このアンカー６の雌ネジ孔６ａにアンカーボルト６ｂを螺合して屋根躯体１に設置することができる。
【００１６】
屋根端部保持部材１ｂの上面は第２保護層載置部９であり、上面に第２保護層７（例えば、アスファルト、ゴムシート、塩化ビニルシート等の防水性部材）が載置される。第２保護層載置部９には、断面Ｖ字状の溝９ａ，９ａ，・・が設けられていて、第２保護層載置部９に載置された第２保護層７は、溝８ａへ食い込んだ状態で設置され、位置ずれ及び剥離が防止される。屋根端部保持部材１ｂには、第１係合部３の係合溝３ｃに挿し込んで係合溝３ｃの両段差面と相互に係合する断面がＵ字状の係合突起４ａを先端に設けた第２係合部４が下面に突出して設けられている。また、屋根端部保持部材１ｂの下面には、第２係合部４よりも外側の位置に保護板１０が突出して設けられている。また、第２係合部４の根元付近には第２保護層載部９の下面と平行に僅かに突出してガイド壁９ｂが設けられ、また、保護板１０の先端には断面がＵ字状のガイド壁１０ｂが設けられている。これらガイド壁９ｂ，１０ｂにより、連結部材１ｃが保持されるようになっている。
【００１７】
次に、基礎部材１ａ，屋根端部保持部材１ｂを使用して屋根端部を形成する場合について説明する。コンクリートにより形成されている屋根躯体１の上面に基礎部材１ａを配置し、屋根躯体１の上面にアンカー６打ち込み、このアンカー６の雌ネジ孔６ａにアンカーボルト６ｂを螺合して屋根躯体１に基礎部材１ａを設置し、基礎部材１ａの上面に第１保護層２を配置する。
【００１８】
そして、基礎部材１ａの第１係合部３の係合溝３ｃに屋根端部保持部材１ｂの第２係合部４の先端に設けた係合突起４ａを係合して基礎部材１ａに屋根端部保持部材１ｂを取付ける。この状態では第１保護層２の上面において第１保護層２から外方向に延長して第２保護層載置部９が設置され、第２保護層載置部９に載置された第２保護層７の縁部は、屋根躯体１よりも外側へ突出して保持され、また、保護板１０は第２係合部４よりも外側の位置で下面に突出して設けられる。したがって、保護板１０は屋根躯体１の縁部と適宜の空隙をおいて対向して配置されて、屋根躯体１の縁部からの雨水の浸入を防止している。
【００１９】
ところで、基礎部材１ａ，屋根端部保持部材１ｂは、搬送に便利な幅１００ｍｍ×長さ２０００ｍｍほどの大きさであり、屋根躯体１の施工個所には、基礎部材１ａ，屋根端部保持部材１ｂが複数連結して使用される。そして、屋根端部保持部材１ｂの連結には、幅３０ｍｍ×長さ７０ｍｍほどの大きさの連結部材１ｃが使用される。この連結部材１ｃは、第２保護層載部９の下面と保護板１０の裏面とに接する逆Ｌ字状の断面をなしていて、屋根躯体１に複数設置される屋根端部保持部材１ｂを適正な位置状態で連結する。例えば、２つの屋根端部保持部材１ｂ，１ｂの各ガイド壁９ｂ，１０ｂに連結部材１ｃを装着する。このとき連結される２つの屋根端部保持部材１ｂ，１ｂ間には、季節の温度差による屋根端部保持部材１ｂ，１ｂの伸縮を吸収するために適正な間隔で隙間が設けられる。また、連結部材１ｃの第２保護層載部９の下面に接し、基礎部材１ａの外側に位置する部分には断面がＶ字の溝からなる樋５が形成されており、連結部材１ｃにより連結される２つの屋根端部保持部材１ｂ，１ｂ間の隙間から浸入した雨水を基礎部材１ａの外側で滴下させるようになっている。
【００２０】
一方、図５は本発明の第２の実施の形態に係る屋根端部保持装置を使用した屋根端部構造の断面図であり、第１の実施の形態の屋根端部保持装置とは、図６の斜視図に示す屋根端部保持部材１１の構造が異なるのみで基礎部材１ａ，連結部材１ｃは同じものであるので、ここでは、第２の実施の形態に係る屋根端部保持装置については、屋根端部保持部材１１について説明し、基礎部材１ａ，連結部材１ｃについての説明は省略する。
【００２１】
屋根端部保持部材１１の上面は第２保護層載置部１９であり、上面に第２保護層７が載置される。第２保護層載置部１９には、断面Ｖ字の溝１９ａ，１９ａ，・・が設けられている。屋根端部保持部材１１には、第１係合部３の係合溝３ｃに挿し込んで係合溝３ｃの両段差面と相互に係合する断面がＵ字状の係合突起１４ａを先端に設けた第２係合部１４が下面に突出して設けられている。また、屋根端部保持部材１１の下面には、第２係合部１４よりも外側の位置に保護板２０が突出して設けられている。第２係合部１４の根元付近にはガイド壁１９ｂが設けられ、保護板２０の先端には断面がＵ字状のガイド壁２０ｂが設けられて、連結部材１ｃが保持されるようになっている。
【００２２】
また、屋根端部保持部材１１には、第２保護層７の縁部を覆うことが可能な囲繞部材１２が端部支持部材に設けられている。この囲繞部材１２は、第２保護層７の上面の雨が流れ落ちることがないようにせき止めるのに十分な高さを有していて、囲繞部材１２が設けれた屋根端部保持部材１１は、屋根勾配によって水切り効果が期待できないケラバ部等の建造物の側面部に設置され、第２保護層７と囲繞部材１２との隙間にはシーリング材１３が充填されて防水されている。なお、屋根勾配によって水切り効果が期待できる軒先部等には図１及び図２に示した屋根端部保持部材１ｂが設置される。
【００２３】
【発明の効果】
以上説明したように、本発明に係る屋根端部保持装置は、上面に配置される第１保護層の配置位置を設定する第１係合部が上面に突出して設けられ、下面が屋根躯体の上面に接合される基礎部材と、上面に第２保護層載置部が設けられ、前記第１係合部と相互に係合する第２係合部が下面に突出して設けられ、前記基礎部材の上面に第１保護層を配置して前記第２係合部を前記第１係合部に係合した状態では前記第１保護層の上面において第２保護層の縁部が屋根躯体よりも外側へ突出して保持するように前記第１保護層から外方向に延長して前記第２保護層載置部が設置されると共に、屋根躯体の縁部を保護するように屋根躯体の縁部と適宜の空隙をおいて対向する保護板が前記第２係合部よりも外側の位置で下面に突出して設けられてなる屋根端部保持部材と、を具えて構成したので、基礎部材を屋根躯体の上面に載置したときには、基礎部材の端縁が屋根躯体の縁部に位置合わせされている状態が上部から目視でき、基礎部材の端縁を屋根躯体の縁部に正確に位置合わせすることできる。したがって、屋根端部保持部材の保護板と屋根躯体のコンクリートとの隙間が確実に均一になり、工事の進行を円滑なものにすることができる。
【図面の簡単な説明】
【図１】本発明の第１の実施の形態に係る屋根端部保持装置を使用した屋根端部構造の断面図である。
【図２】第１の実施の形態に係る屋根端部保持装置の屋根端部保持部材の斜視図である。
【図３】第１の実施の形態に係る屋根端部保持装置に使用した連結部材の斜視図である。
【図４】第１の実施の形態に係る屋根端部保持装置の基礎部材の斜視図である。
【図５】本発明の第２の実施の形態に係る屋根端部保持装置を使用した屋根端部構造の断面図である。
【図６】本発明の第２の実施の形態に係る屋根端部保持部材の第１例を示す斜視図である。
【図７】従来の端部支持部材を示す外観斜視図である。
【図８】従来の端部支持部材を用いて形成された屋根端部構造を示す断面図である。
【図９】従来の屋根保護層の端部支持部材の第２例を示す外観斜視図である。
【符号の説明】
１，１０１  屋根躯体
１ａ  基礎部材
１ｂ，１１  屋根端部保持部材
１ｃ  連結部材
２，１０２  第１保護層
３  第１係合部
３ａ，３ｂ  壁体
３ｃ  係合溝
４，１４  第２係合部
４ａ  係合突起
５  樋
６  アンカー
６ａ  雌ネジ孔
６ｂ  アンカーボルト
７，１０７  第２保護層
８，１０８  第１保護層保持部
８ａ，９ａ，１９ａ  溝
９，１０９  第２保護層載置部
９ｂ，１０ｂ，１９ｂ，２０ｂ  ガイド壁
１０，２０，１１０  保護板
１１  水遮蔽手段
１２，１１２  囲繞部材
１０１ｃ  縁部
１０８ａ  貫通孔
１０９ａ  載置面
１０９ｂ  切り欠き
１０９ｃ  縁部保護板
１１１  水遮蔽手段
１１２  囲繞部材
１１３  ジョイント部材
Ａ１，Ａ２  端部支持部材
Ｂ  ビス
【図１】
2004176356.tif 000003
【図２】
2004176356.tif 000004
【図３】
2004176356.tif 000005
【図４】
2004176356.tif 000006
【図５】
2004176356.tif 000007
【図６】
2004176356.tif 000008
【図７】
2004176356.tif 000009
【図８】
2004176356.tif 000010
【図９】
2004176356.tif 000011